(57)【要約】【課題】混合信号が他のチューナにリークしても音声出力に生じるノイズを低減する。【解決手段】放送局からの放送波をアンテナＡＮＴで受信し、これに混合器１２で混合信号を混合してＩＦ信号を得てから復調回路２２で復調する。発振器１４では、所定周波数毎に配置される放送局中心周波数のいずれからも音声帯域以内の聴感上聞き取りにくい周波数以上の周波数差がある混合信号を出力し、これを混合器１２でアンテナＡＮＴで受信した受信信号に混合して、ＩＦ信号を得る。【選択図】図２０
2012075068.tif 000002
【特許請求の範囲】
【請求項１】
放送局からの放送波をアンテナで受信し、これに混合信号を混合してＩＦ信号を得てから放送波を復調するチューナであって、
所定周波数毎に配置される放送局中心周波数のいずれからも音声帯域以内の聴感上聞き取りにくい周波数以上の周波数差がある混合信号を、アンテナで受信した受信信号に混合して、ＩＦ信号を得ることを特徴とするチューナ。
【請求項２】
請求項１に記載のチューナであって、
所定周波数毎に配置される放送局中心周波数のいずれからも音声帯域の周波数以上の周波数差がある混合信号を混合して、ＩＦ信号を得ることを特徴とするチューナ。
【発明の詳細な説明】
【技術分野】
【０００１】
本発明は、ＦＭラジオ，ＡＭラジオなど、音声放送を受信するチューナに関する。
【背景技術】
【０００２】
従来、ＦＭラジオにおいて、放送波を受信するチューナは、ＩＦ周波数を１０．７ＭＨｚに設定している。そして、通過信号の中心周波数が１０．７ＭＨｚのＩＦフィルタ用セラミックフィルタを用いＩＦ信号を取り出している。
【０００３】
ここで、ＩＦ周波数を１０．７ＭＨｚに設定すると、ＲＦの混合周波数（局部発振器の発振周波数）は選局周波数±１０．７ＭＨｚになる。選局周波数＋１０．７ＭＨｚの周波数関係を図１に選局周波数＋１０．７ＭＨｚの周波数関係を図２に示す。
【０００４】
例えば、選局周波数７６ＭＨｚをアッパー設定でＩＦに周波数変換する場合、図３に示すとおり混合周波数は７６ＭＨｚ＋１０．７ＭＨｚ＝８６．７ＭＨｚに設定することになる。
【０００５】
ここで、図４に示すとおり日本のＦＭ放送局帯域は７６ＭＨｚ〜９０ＭＨｚで１００ｋＨｚ間隔の放送周波数で放送局を配置できる決まりになっている。８６．７ＭＨｚの混合周波数はＦＭ放送局帯域内あり、８６．７ＭＨｚの放送局中心周波数と一致する。
【０００６】
また、図５のように、周波数混合器を使用するとアンテナ端に混合信号（局部発振信号）が漏れる現象が起こる。これはＬＯリークと呼ばれる現象で、容量的な結合あるいは基板を介して起こる。通常ＬＯ（局部発振）リークは自身の選局周波数と異なるため、ＬＯリークが受信を妨害することは無い。
【先行技術文献】
【特許文献】
【０００７】
【特許文献１】特開２００７−３３６１３５号公報
【発明の概要】
【発明が解決しようとする課題】
【０００８】
ところが、複数のチューナを使用する場合、ＬＯリークが問題となる場合がある。例えば、図６に示すように、２つのチューナを使用しチューナ１が７６ＭＨｚを選局、チューナ２が８６．７ＭＨｚを受信する場合、チューナ１の混合周波数とチューナ２の受信周波数が一致する。なお、図７に複数チューナを設けた場合の構成図を示す。
【０００９】
この場合、チューナ１のＬＯリークはチューナ２の受信周波数に混信するため、妨害信号となる。図１３に、ＩＦ信号を混合信号のリーク経路図を示す。
【００１０】
また、混合周波数は、通常水晶発振器などとＰＬＬ同期をとり生成する。水晶発振器は発振周波数の公差があり、ＰＬＬ同期を取っている混合周波数も交差が発生する。図８，図９に示すように、例えば公差によりチューナ１の混合周波数が１ｋＨｚずれると、チューナ２の受信周波数に混信するＬＯリーク妨害信号も１ｋＨｚずれる。この状態でチューナ２がＬＯリーク混信した状態で音声信号を復調すると、１ｋＨｚのノイズが発生する問題がおこる。これは、図１０に示すとおり、混信信号とチューナ２の選局中心周波数との差の周波数がノイズとして復調されるためである。
【課題を解決するための手段】
【００１１】
本発明は、放送局からの放送波をアンテナで受信し、これに混合信号を混合してＩＦ信号を得てから放送波を復調するチューナであって、所定周波数毎に配置される放送局中心周波数のいずれからも音声帯域以内の聴感上聞き取りにくい周波数以上の周波数差がある混合信号を、アンテナで受信した受信信号に混合して、ＩＦ信号を得ることを特徴とする。
【００１２】
また、所定周波数毎に配置される放送局中心周波数のいずれからも音声帯域の周波数以上の周波数差がある混合信号を混合して、ＩＦ信号を得ることが好適である。
【発明の効果】
【００１３】
本発明によれば、複数のチューナを使用しても混合周波数のＬＯリークが他のチューナの音声ノイズに影響しないもしくは影響が低減することができる。
【図面の簡単な説明】
【００１４】
【図１】選局周波数＋１０．７ＭＨｚの周波数関係を示す図である。
【図２】選局周波数−１０．７ＭＨｚの周波数関係を示す図である。
【図３】選局周波数７６ＭＨｚをアッパー設定でＩＦ二種は数変換する場合の周波数関係を示す図である。
【図４】日本のＦＭ放送局帯域を示す図である。
【図５】周波数混合器を使用し暗転難に混合信号が漏れる様子を示す図である。
【図６】チューナ１が７６ＭＨｚを選局チューナ２が８６．７ＭＨｚを受信する様子を示す図である。
【図７】複数チューナの構成図である。
【図８】公差によりチューナ１の混合周波数が＋１ｋＨｚずれ、チューナ２の受信周波数に混信する様子を示す図である。
【図９】公差によりチューナ１の混合周波数が−１ｋＨｚずれ、チューナ２の受信周波数に混信する様子を示す図である。
【図１０】チューナ２がＬＯリーク混信した状態で音声信号を復調する様子を示す図である。
【図１１】音声復調時の周波数関係（混信信号とチューナ２の選局中心周波数との差の周波数が可聴外）を示す図である。
【図１２】音声復調時の周波数関係（混信信号とチューナ２の選局中心周波数との差の周波数が聴感上聞き取り難い帯域）を示す図である。
【図１３】複数チューナ使用時の混合信号漏れの経路図である。
【図１４】ＩＣに内蔵するＩＦフィルタ構成例を示す図である。
【図１５】セラミックフィルタの周波数特性を示す図である。
【図１６】複素フィルタの周波数特性を示す図である。
【図１７】ＶＩＣＳチューナと音声チューナを使用した構成例を示す図である。
【図１８】ＲＤＳチューナと音声チューナを使用した構成例を示す図である。
【図１９】音声チューナと音声チューナを使用した構成例を示す図である。
【図２０】実施形態に係る複数チューナを備えたラジオの部分構成を示す図である。
【発明を実施するための形態】
【００１５】
以下、本発明の実施形態について、図面に基づいて説明する。
【００１６】
図２０に複数チューナを設けたラジオの部分的な構成を示す。ｎ個のチューナＴ１〜Ｔｎは、アンテナＡＮＴに接続されている。各チューナＴ１〜Ｔｎは、同様の構成を有している。
【００１７】
１つのチューナにおいて、アンテナＡＮＴからの受信信号は、ＲＦ増幅回路１０に入力され、ここでＲＦ増幅され、増幅された受信信号は、混合器１２に入力され、ここで発振器１４からの混合信号が混合される。ここで、発振器１４は、制御部１６により発振周波数が制御され、混合信号の周波数が制御される。制御部１６には、放送局の選択信号が供給されており、制御部１６は、選択放送局の周波数に対し、ＩＦ周波数だけずれた周波数で、発振するように発振器を制御する。
【００１８】
このような混合信号が混合された信号は、ＩＦフィルタ１８において、ＩＦ信号が抽出される。従って、このＩＦフィルタ１８の出力にＩＦ周波数に周波数変換された選択放送局の信号（ＩＦ信号）が得られる。ＩＦ信号はＩＦ増幅回路２０において増幅された後、復調回路２２において復調されて、出力信号が得られる。復調信号は、基本的に音声信号であり、スピーカに供給されることで音声が出力される。なお、ＦＭ多重放送についてのチューナでは、復調回路において、復調された信号がデータであり、このデータが画面に出力されたり、ナビゲーション装置に提供される。
【００１９】
ここで、例えば、２つのチューナを使用しチューナＴ１が７６ＭＨｚを選局、チューナＴ２が７６．６ＭＨｚを受信する場合を考える。
【００２０】
本実施形態においては、ＩＦ周波数を放送波が存在する周波数から音声帯域以上離れたものを採用している。例えば、ＩＦ周波数を５７５ｋＨｚに設定し、チューナＴ１の混合周波数を７６．５７５ＭＨｚとする。これによって、チューナＴ２の受信周波数に混信するＬＯリーク周波数も７６．５７５ＭＨｚとなる。
【００２１】
また、ＩＦ周波数が１０ＭＨｚ以下になると従来は外付けのセラミックフィルタなどで構成していたＩＦフィルタ１８をＩＣに内蔵することが容易となる。これによって、従来の外付けセラミックフィルタと比べ、（ｉ）外付け部品が削減できる、（ｉｉ）ＩＣ内部に内蔵するためＩＣを搭載する基板レイアウトの影響を受けなくなる、（ｉｉｉ）外付け部品コストや外付け部品削減により部品をマウントするコストが削減できる、などの効果が得られる。
【００２２】
図１４に、ＩＣに内蔵するＩＦフィルタ１８の構成例を示す。また、アクティブフィルタの構成は各種知られており、各素子の特性を調整することで、任意の周波数を抽出するフィルタを構成することができる。
【００２３】
図から分かるとおり、フィルタは容量、抵抗、アクティブ素子で構成が可能なアクティブフィルタで構成でき、通常のＩＣ製造工程で内蔵が可能である。図１４のフィルタを多段接続することでフィルタの選択度を上げることも可能である。また、図１４のアクティブフィルタは複素フィルタを構成している。
【００２４】
セラミックフィルタなどのフィルタは図１５のような周波数特性を持つことが知られている。このように、負の周波数と正の周波数が鏡面関係のフィルタ特性となる。例えば、ローアー混合周波数の場合負の周波数はイメージ周波数になる。図１５の周波数特性は負の周波数も信号が通過する帯域があるため、その周波数に放送局などの信号があると混信することになる。
【００２５】
図１４のアクティブフィルタを含む複素フィルタの周波数特性を図１６に示す。このように、複素フィルタは負の周波数と正の周波数で鏡面関係にならない。これにより負の周波数のイメージ周波数帯域に信号通過帯域が無いため、イメージ周波数に放送局などの信号がある場合でも混信しにくくなる。
【００２６】
ここで、上述のように、チューナＴ２が７６．６ＭＨｚを選局しており、チューナＴ１における混合信号の周波数が７６．５７５ＭＨｚである。従って、チューナＴ２がＬＯリーク混信状態で音声復調すると、チューナＴ２から２５ｋＨｚのノイズが発生する。これは混信信号とチューナ２の選局中心周波数との差の周波数が２５ｋＨｚであるためである。図１１に音声復調時の周波数関係を示す。このように、このチューナ２で発生する２５ｋＨｚのノイズは人間の聴覚では聞き取れないノイズである。すなわち、２５ｋＨｚのノイズは人間が聞き取れる聴覚範囲を超えている。
【００２７】
人間の聴覚が聞き取れる音の周波数は２０Ｈｚ〜１５ｋＨｚ、もしくは２０Ｈｚ〜２０ｋＨｚと言われている。また、音の周波数が１０ｋＨｚを越えると通常の音量では聞き取れなくなり、聴覚が鈍化する。
【００２８】
図１２には、混合周波数を放送局中心周波数から聴感上聞き取りにくい周波数（例えば１０ｋＨｚ以上周波数）差にした場合の音声復調時の周波数図を示す。
【００２９】
このように、混合周波数を放送局中心周波数から音声帯域以上周波数差に設定する、もしくは混合周波数を放送局中心周波数から聴感上聞き取りにくい周波数（例えば１０ｋＨｚ以上周波数）差にすることで、複数のチューナを使用し他のチューナに混合周波数がＬＯリークで混信していても音声として聞きれない、もしくは聞き取りにくくすることで、ＬＯリークによる音声出力への悪影響を排除または低減できる。
【００３０】
例えば、ＩＦ周波数の１０ｋＨｚの桁について、１０〜９０ｋＨｚの間に設定することで、混合信号の周波数が１００ｋＨｚごとに配置される放送局の中心周波数に対し、必ず１０〜９０ｋＨｚ離れることになり、ＬＯリークが混信した際のノイズが１０ｋＨｚ以上の帯域のものになり、聴感上ほとんど問題がなくなる。
【００３１】
なお、ＩＦ周波数を１０．７１〜１０．７９ＭＨｚとすることでも、上述のような効果が得られる。この場合セラミックフィルタとして若干通過帯域幅の広いものを用いれば、従来のＩＦフィルタ用のセラミックフィルタ用いることができる。
【００３２】
また、複数チューナを使用する例は、増える傾向にある。図１７には、ＦＭ多重放送で交通渋滞情報などを流すＶＩＣＳサービスのためのＶＩＣＳチューナ１と、通常の音声チューナＴ２を備える構成例を示す。この例では、ＶＩＣＳチューナ１で交通渋滞情報を取得し、同時に同一のアンテナで音声チューナ２を受信する。
【００３３】
図１８には、ＲＤＳチューナ１と音声チューナ２を備える構成例を示す。これはＲＤＳチューナ１で交通情報やデータを受信し、同時に同一のアンテナで音声チューナ２を受信している構成例となる。
【００３４】
図１９には、音声チューナ１と音声チューナ２の構成例を示す。この例では、音声チューナ１で音声を復調しつつ、電界強度、マルチパス、フェージング、隣接妨害などの放送環境が悪化した場合に、別チューナ２で同一の放送内容を放送している別放送局を復調出力し放送環境が悪化した場合でも途切れることが無く音声復調する。
【００３５】
このような場合においても、本実施形態によれば、ＩＦ周波数が放送局の周波数とは、音声帯域以上、または通常聞き取れない周波数以上離れて設定されている。このため、混合信号が他のチューナにリークした場合においても、そのリーク先のチューナにおいて、復調された音声信号に悪影響を及ぼすことを有効に防止できる。
【符号の説明】
【００３６】
１０  ＲＦ増幅回路、１２  混合器、１４  発振器、１６  制御部、１８  ＩＦフィルタ、２０  ＩＦ増幅回路、２２  復調回路、ＡＮＴ  アンテナ、Ｔ１〜Ｔｎ  チューナ。
【図１】
2012075068.tif 000003
【図２】
2012075068.tif 000004
【図３】
2012075068.tif 000005
【図４】
2012075068.tif 000006
【図５】
2012075068.tif 000007
【図６】
2012075068.tif 000008
【図７】
2012075068.tif 000009
【図８】
2012075068.tif 000010
【図９】
2012075068.tif 000011
【図１０】
2012075068.tif 000012
【図１１】
2012075068.tif 000013
【図１２】
2012075068.tif 000014
【図１３】
2012075068.tif 000015
【図１４】
2012075068.tif 000016
【図１５】
2012075068.tif 000017
【図１６】
2012075068.tif 000018
【図１７】
2012075068.tif 000019
【図１８】
2012075068.tif 000020
【図１９】
2012075068.tif 000021
【図２０】
2012075068.tif 000022